(57)【要約】      （修正有）【課題】石造建造物である墓石の最上部に配置される棹石の高い免震性を得るとともに墓石全体の地震による倒壊を防止し、安易に分離することが可能な墓石の免震装置を提供する。【解決手段】石造建造物である墓石の最上部に配置される棹石の底面に穿孔された穴に挿入される筒状の第１の金具１と、筒状の第１の金具に着脱自在に挿入されるとともに、棹石の底面と対面する上台の上面に穿孔された穴に挿入し立設される棒状の第２の金具２とよりなり、筒状の第１の金具の挿入部には、棒状の第２の金具の挿入を阻止する突起部１ｂを形成し、棒状の第２の金具には、筒状の第１の金具の突起部により挿入が阻止される係止部２ａと、係止部には突起部の挿入阻止を回避する切欠部２ｄとを小径部を介して形成し、突起部の位置よりも、切欠部の位置を上方にずらせて設けており、突起部は小径部と対面させている。【選択図】図１
2014020108.tif 000002
【特許請求の範囲】
【請求項１】
石造建造物である墓石の最上部に配置される棹石の底面に穿孔された穴に挿入される筒状の第１の金具と、前記筒状の第１の金具に着脱自在に挿入されるとともに、前記棹石の底面と対面する上台の上面に穿孔された穴に挿入し立設される棒状の第２の金具とよりなり、前記筒状の第１の金具の挿入部には、前記棒状の第２の金具の挿入を阻止する突起部を形成し、前記棒状の第２の金具には、前記筒状の第１の金具の突起部により挿入が阻止される係止部と、前記係止部には前記突起部の挿入阻止を回避する切欠部とを小径部を介して形成し、前記突起部の位置よりも、前記切欠部の位置を上方にずらせて設けており、前記突起部は前記小径部と対面させていることを特徴とする墓石の免震装置。
【請求項２】
請求項１において、棹石の四隅には、接地面が平坦面となった減衰ゴムが設けられていることを特徴とする請求項１記載の墓石の免震装置。
【請求項３】
請求項２に記載の減衰ゴムは、剛性の高い板が挟み込まれているとともに、表裏面には複数個の同一高さの突起部が設けられていることを特徴とする請求項１又は２のいずれかに記載の墓石の免震装置。
【請求項４】
請求項２、請求項３に記載の減衰ゴムは、ドーナツ型の形状を特徴とする請求項１又は２又は３のいずれかに記載の墓石の免震装置。
【発明の詳細な説明】
【技術分野】
【０００１】
本発明は、地震などによる石造建造物である墓石の倒壊を防止するための免震装置に関するものである。
【背景技術】
【０００２】
従来の墓石は、芝台もしくは下台と呼ばれる土台となる台石の上に、中台、上台と呼ばれる石材を載せ、さらに最上部に石碑と呼ばれる棹石を積み重ね、個々の目地をセメントペーストで間詰めした構造となっているものが主であるが、台石の無いものや、台石と中台の無いもの等、多様のものが用いられている。
【０００３】
このように最上部に棹石を積み重ねるようにした構造の墓石は、震度５強程度の中規模の地震では損傷がないが、震度６強から震度７程度の大規模な地震が発生すると、簡単に倒れてしまい、各地で墓石の倒壊が問題になった。
【０００４】
そこで、このような墓石の倒壊を防止するための対策として、台石、中台、上台、棹石等、用いられた石材のうち、必要に応じて、石材の中央に穴を開け、その中に鉄筋を挿入し、コンクリートを充填して固定、または、各石材を石材専用の接着剤で固着させ一体化することが行われていた。
【０００５】
しかし、前述のように、一旦、各石材を互いに固定、一体化してしまうと、安易に取り外せなくなり、何らかの事情で移動する場合、墓石全体を壊して、交換しなければならなかった。
【０００６】
そこで、上下の石材の中心部に金属パイプを埋め込んで、上下の石材を連結する下記特許文献１に示す方法や、上下の石材に螺合する固定具や埋め込み金具により連結する下記特許文献２に示す方法などが提案されている。
【先行技術文献】
【特許文献】
【０００７】
【特許文献１】実用新案登録第３０７９９６１号
【特許文献２】特許第３５３２５０９号
【発明の概要】
【発明が解決しようとする課題】
【０００８】
しかしながら前記従来技術のような金属パイプや、固定具、埋め込み金具を用いて上下の石材を連結する方法によれば、地震による墓石の倒壊は防止することができたとしても、石材を連結する金属パイプや、固定具、埋め込み金具に大きな力が加わって変形し、上記の墓石が傾いたり、揺れにより、角部の欠損、ネジ部が損傷して、上下の石材の分離が安易にできなくなるという問題が生じる。
【０００９】
なお、墓石を一体化して全体の揺れを阻止することで、大規模な地震が発生したときに、墓石本体の石造部に過剰な負担が掛かり、固定されている石材が破損、崩壊してしまうという事態が懸念される。
【００１０】
本発明は、前記従来例の不都合を解消するものとして、地震などの発生に際しても、棹石が安易に倒壊することなく、これを安定させ、高い耐震性、免震性を得るとともに、墓石全体の倒壊を防止し、必要に応じ、安易に分離することが可能な墓石の免震装置を提供するものである。
【課題を解決するための手段】
【００１１】
前記課題を解決するために本発明は、石造建造物である墓石の最上部に配置される棹石の底面に穿孔された穴に挿入される筒状の第１の金具と、前記筒状の第１の金具に着脱自在に挿入されるとともに、前記棹石の底面と対面する上台の上面に穿孔された穴に挿入し立設される棒状の第２の金具とよりなり、前記筒状の第１の金具の挿入部には、前記棒状の第２の金具の挿入を阻止する突起部を形成し、前記棒状の第２の金具には、前記筒状の第１の金具の突起部により挿入が阻止される係止部と、前記係止部には前記突起部の挿入阻止を回避する切欠部とを小径部を介して形成し、前記突起部の位置よりも、前記切欠部の位置を上方にずらせて設けており、前記突起部は前記小径部と対面させていることを特徴とする墓石の免震装置である。
【００１２】
なお、前記第１の金具を挿入された棹石を前記第２の金具を挿入された上台に設置する際、前記棹石の四隅には、接地面が平坦面となった減衰ゴムが設けられていることを特徴とする墓石の免震装置である。
【００１３】
前記減衰ゴムは、剛性の高い板が挟み込まれているとともに、表裏面には複数個の同一高さの突起部が設けられていることを特徴とする墓石の免震装置である。
【００１４】
なお、前記減衰ゴムは、ドーナツ型の形状を特徴とする墓石の免震装置である。
【発明の効果】
【００１５】
本発明の墓石の免震装置は、石造建造物である墓石の最上部に配置される棹石の底面に穿孔された穴に挿入される筒状の第１の金具と、前記筒状の第１の金具に着脱自在に挿入されるとともに、前記棹石の底面と対面する上台の上面に穿孔された穴に挿入し立設される棒状の第２の金具とよりなり、前記筒状の第１の金具の挿入部には、前記棒状の第２の金具の挿入を阻止する突起部を形成し、前記棒状の第２の金具には、前記筒状の第１の金具の突起部により挿入が阻止される係止部と、前記係止部には前記突起部の挿入阻止を回避する切欠部とを小径部を介して形成し、前記突起部の位置よりも、前記切欠部の位置を上方にずらせて設けており、前記突起部は前記小径部と対面させていることを特徴とするものであるから、地震による前記棹石の揺れを阻止するのではなく、横揺れに際しては、前記第１の金具の挿入部の内径と前記第２の金具の係止部の外径の差により生じる隙間により前記棹石を揺らし墓石全体の重心を下方部にし、縦揺れに際しては、前記第１の金具の挿入部に形成された突起部が前記第２の金具の係止部と係止し引き抜きを阻止することで墓石の倒壊を防止でき、必要に応じ、前記棹石に一定の回転を加え、前記第１の金具の突起部と前記第２の金具の切欠部を一致させることで、安易に分解することができる。なお、前記第１の金具を棹石の底面に挿入し、前記第２の金具を上台の上面に挿入し立設することで、連結後、前記棹石と前記上台の隙間から浸入した雨水等の溜め込みを防止でき、前記第１の金具及び、前記第２の金具の耐久性が保持できる。
【００１６】
なお、棹石の揺れに対し、前記棹石の四隅に設けられた接地面が平坦面となった減衰ゴムが、前後左右の揺れ運動を吸収するとともに、前記棹石と上台との隙間を確保し、接触による角部の欠損を防止することができる。また、剛性の高い板が挟み込まれているとともに、表裏面には複数個の同一高さの突起部が設けられている前記減衰ゴムは、前記剛性の高い板により、上下のゴム層の動きを遮断し、前記表裏面に設けられた複数個の突起部が自在に動作することで、より前記棹石の揺れを吸収することができる。なお、前記減衰ゴムが角部の無いドーナツ型の形状になっていることで、前記棹石の前後左右の揺れ運動を滑らかにし、前記棹石のズレを防止でき、中心の空洞部のみに、弾性素材からなる接着材を流し込み固定することで、前記減衰ゴムの性能を損なわず、振動による前記減衰ゴムの他方向への移動をより一層、防止することができる。
【図面の簡単な説明】
【００１７】
【図１】本発明の墓石の免震装置を装着し、正面から望んだ棹石と上台の連結完了の状態を示す一部省略の側面説明図である。
【図２】本発明の墓石の免震装置に使用する筒状の第１の金具の説明図であり、（ａ）は平面図、（ｂ）は側面図である。
【図３】本発明の墓石の免震装置に使用する前記第１の金具に挿入する棒状の第２の金具の説明書であり、（ａ）は平面図、（ｂ）は側面図である。
【図４】本発明の墓石の免震装置に使用する減衰ゴムの説明図であり、（ａ）は平面図、（ｂ）は側面図である。
【図５】最上部に配置される棹石の底面に穿孔された穴に前記第１の金具を挿入した状態の説明図であり、（ａ）は平面図、（ｂ）は側面図である。
【図６】前記棹石の底面と対面する前記上台の上面に穿孔された穴に前記第２の金具を挿入し立設した状態の説明図であり、（ａ）は平面図、（ｂ）は側面図である。
【図７】前記第２の金具を立設した前記上台の上面に、前記棹石の四隅に対面するように前記減衰ゴムを敷設した状態の斜視図である。
【図８】正面から望んだ前記棹石と前記上台の連結前の状態を示す一部省略の側面説明図である。
【図９】正面から望んだ前記棹石と前記上台の連結中の状態を示し、上記棹石の回転前の一部省略の側面説明図である。
【図１０】正面から望んだ前記棹石と前記上台の連結中の状態を示し、上記棹石の回転後の一部省略の側面説明図である。
【発明を実施するための形態】
【００１８】
以下、本発明の墓石の免震装置の実施の形態について、図面を参照し、詳細に説明する。
【００１９】
墓石の免震装置は、石造建造物である墓石の最上部に配置される棹石４の底面に穿孔された穴に挿入される筒状の第１の金具１と、第１の金具１に着脱自在に挿入されるとともに、棹石４の底面と対面する上台５の上面に穿孔された穴に挿入し立設される棒状の第２の金具２とよりなり、第１の金具１の挿入部１ｃには、第２の金具２の挿入を阻止する突起部１ｂを形成し、第２の金具２には、第１の金具１の突起部１ｂにより挿入が阻止される係止部２ａと、係止部２ａには突起部１ｂの挿入阻止を回避する切欠部２ｄとを小径部２ｂを介して形成し、突起部１ｂの位置よりも、切欠部２ｄの位置を上方にずらせて設けており、突起部１ｂは小径部２ｂと対面させており、さらに棹石４の四隅に、減衰ゴム３が設けられている。
【００２０】
第１の金具１は、雨水等の浸入による腐食に耐えうる鋼材を材質とした筒状の金具であり、第１の金具１の一方端に固定用の接着材の滲入を防ぐために設けた有底部１ａを形成し、挿入部１ｃには第２の金具２の挿入を阻止する突起部１ｂを有するものである。なお、挿入部１ｃが円形であれば、外周形状は円形と限定されるものではなく、多角形や、楕円形等でもかまわない。
【００２１】
第２の金具２は、雨水等の浸入による腐食に耐えうる鋼材を材質とした棒状の金具であり、第２の金具２の一方端に第１の金具１の挿入部１ｃに着脱自在に挿入できうる太さである係止部２ａを形成し、係止部２ａには第１の金具１の挿入を阻止する突起部１ｂによる挿入阻止を回避するＤ字形状の切欠部２ｄを備え持ち、第２の金具２の中間部分は第１の金具１の突起部１ｂの阻止を受けない小径部２ｂを形成するとともに、第２の金具２の他端部分には第１の金具１に挿入不能な太さの接着固定部２ｃを有するものである。なお、切欠部２ｄは、Ｄ字形状に限定されるものではなく、Ｖ字形状やＵ字形状等、第１の金具１の突起部１ｂを通過できる形状であればかまわない。また、接着固定部２ｃの外周形状は円形と限定されるものではなく、多角形や、楕円形等でもかまわない。
【００２２】
減衰ゴム３は、棹石の重量を吸収し、耐久性を維持できる高減衰ゴム系積層ゴムを素材としたドーナツ型の形状で接地面が平坦面となったゴム板であり、上下のゴム層の動きを遮断するため剛性の高い板３ａを挟み込み、より個々が自在に動作できるように表裏のゴム層は、溝３ｂにより分割された複数個の同一高さの突起部３ｃを有するものである。なお、ドーナツ型の形状とは、円形に限定されるものではなく、多角形や、楕円形等でもかまわない。また、剛性の高い板３ａは、棹石の重量によって変形せず、耐久性のあるものであればかまわない。
【００２３】
棹石４の底面に穿孔された穴に第１の金具１の有底部１ａを先順に挿入し、堅固に接着できる樹脂系接着材６で固定する。なお、挿入部１ｃに設けられた突起部１ｂの方向は、回転し設置することを考慮し、明確にしておく。
【００２４】
棹石４の底面と対面する上台５の上面に穿孔された穴に第２の金具２の接着固定部２ｃを挿入し、堅固に接着できる樹脂系接着材６で立設し固定する。なお、先端に設けられた切欠部２ｄの方向は、棹石４を回転し設置することを考慮し、設置後、切欠部２ｄと第１の金具１の突起部１ｂが同一方向にならないように立設する。
【００２５】
第２の金具２を立設し固定した上台５に、第１の金具１を挿入固定した棹石４の底面と対面するする四隅に、減衰ゴム３を敷設する。なお、振動による減衰ゴム３の他方向への移動をより一層、防ぐため、減衰ゴム３の空洞部３ｄのみに弾性素材からなる接着材を流し込み固定することが望ましい。
【００２６】
棹石４を上台５に連結する場合、棹石４に挿入固定された第１の金具１の突起部１ｂと上台５に立設固定された第２の金具２の切欠部２ｄが同一方向であることを確認し、棹石４を下降させる。
【００２７】
棹石４に挿入固定された第１の金具１に上台５に立設固定された第２の金具２を挿入し、棹石４を徐々に下降させ、第１の金具１の突起部１ｂの位置を第２の金具２の切欠部２ｄが通過し、第１の金具１の突起部１ｂが第２の金具２の小径部２ｂと対面した高さで棹石４の下降を一旦停止する。
【００２８】
棹石４を最終設置する方向まで回転させ、第１の金具１の突起部１ｂと第２の金具２の切欠部２ｄが異なる方向になり、第２の金具２の係止部２ａが第１の金具１の突起部１ｂと係止していることを確認し、棹石４を最下方まで下降させ、墓石の免震装置が装着される。
【００２９】
なお、棹石４と上台５の減衰ゴム３によって生ずる隙間７には、雨水等の浸入による影響を受けにくくし、墓石の免震装置の耐久性をより保持するために、弾性に優れた目地材による隅部の目地処理を施すのが望ましい。
【００３０】
本発明の墓石の免震装置を装着することにより、石造建造物である墓石の最上部に配置される棹石４の底面に穿孔された穴に挿入される筒状の第１の金具１と、筒状の第１の金具１に着脱自在に挿入されるとともに、棹石４の底面と対面する上台５の上面に穿孔された穴に挿入し立設される棒状の第２の金具２とよりなり、筒状の第１の金具１の挿入部１ｃには、棒状の第２の金具２の挿入を阻止する突起部１ｂを形成し、棒状の第２の金具２には、筒状の第１の金具１の突起部１ｂにより挿入が阻止される係止部２ａと、係止部２ａには突起部１ｂの挿入阻止を回避する切欠部２ｄとを小径部２ｂを介して形成し、突起部１ｂの位置よりも、切欠部２ｄの位置を上方にずらせて設けており、突起部１ｂは小径部２ｂと対面させていることを特徴とするものであるから、地震による棹石４の揺れを阻止するのではなく、横揺れに際しては、第１の金具１の挿入部１ｃの内径と第２の金具２の係止部２ａの外径の差により生じる隙間により棹石４を揺らし墓石全体の重心を下方部にし、縦揺れに際しては、第１の金具１の挿入部１ｃに形成された突起部１ｂが第２の金具２の係止部２ａと係止し引き抜きを阻止することで墓石の倒壊を防止でき、必要に応じ、棹石４に一定の回転を加え、第１の金具１の突起部１ｂと第２の金具２の切欠部２ｄを一致させることで、安易に分解することができる墓石を提供できる。なお、第１の金具１を棹石４の底面に挿入し、第２の金具２を上台５の上面に挿入し立設することで、連結後、棹石４と上台５の隙間７から浸入した雨水等の溜め込みを防止でき、第１の金具１及び、第２の金具２の耐久性が保持できる。
【００３１】
なお、棹石４の揺れに対し、棹石４の四隅に設けられた接地面が平坦面となった減衰ゴム３が、前後左右の揺れ運動を吸収するとともに、棹石４と上台５との隙間７を確保し、接触による角部の欠損を防止することができる。また、剛性の高い板３ａが挟み込まれているとともに、表裏面には複数個の同一高さの突起部３ｃが設けられている減衰ゴム３は、剛性の高い板３ａにより、上下のゴム層の動きを遮断し、表裏面に設けられた複数個の突起部３ｃが自在に動作することで、より棹石４の揺れを吸収することができる。なお、減衰ゴム３が角部の無いドーナツ型の形状になっていることで、棹石４の前後左右の揺れ運動を滑らかにし、棹石４のズレを防止でき、中心の空洞部３ｄのみに、弾性素材からなる接着材を流し込み固定することで、減衰ゴム３の性能を損なわず、振動による減衰ゴム３の他方向への移動をより一層、防止することができる。
【００３２】
本発明の墓石の免震装置に使用する第１の金具１、第２の金具２、減衰ゴム３の最も望ましい寸法を以下に示す。
【００３３】
筒状の第１の金具１の太さは１０ｍｍ〜３０ｍｍ、肉厚は１ｍｍ〜５ｍｍ、長さは装着する棹石４の高さの１割程度とする。なお、外周は接着しやすいように、滑り止め加工するほうが好ましい。
【００３４】
棒状の第２の金具２の第１の金具１に挿入する部分の長さは第１の金具の長さと同長であり、係止部２ａは棹石４の揺れ幅を考慮して、第１の金具１の内径より０．２ｍｍ〜２ｍｍ小さく、長さは第２の金具２の挿入部分の２割程度とし、小径部２ｂの太さは係止部２ａより３ｍｍ〜５ｍｍ小さくし、接着固定部２ｃは、堅固に接着できうる長さとし１００ｍｍ〜２００ｍｍとする。なお、接着固定部２ｃの外周は接着しやすいように滑り止め加工するほうが好ましい。
【００３５】
減衰ゴム３の外周の直径は、設置する棹石４の底面の１辺の寸法の２割〜３割とし、内径は、外径の５割とする。全体の厚みは棹石４の揺れ及び重量を考慮して、３ｍｍ〜３０ｍｍとし、内部に挟み込む剛性の高い板３ａの厚みは０．２ｍｍ〜２ｍｍとする。なお、表裏面に設けられる突起部３ｃの個々の大きさは極力小さい方が効力を発揮できるが、１ｍｍ〜１０ｍｍ角とし、高さは１ｍｍ〜１２ｍｍとする。
【００３６】
以上、本発明を添付図面に示す実施形態に基づいて説明したが、本発明は前記各実施形態に限定されるものではなく、本発明の意図する範囲内であれば、各実施形態において適宜設計変更を行うことや、各実施形態の構成を適宜組み合わせて適用することは可能であり、本発明の技術範囲に属するものである。
【産業上の利用可能性】
【００３７】
本発明の墓石の免震装置は、棹石及び、それに対面する上台に金具を埋め込む穴を穿孔するだけの加工で、新規の墓石だけではなく、既存の墓石にも適応でき、安価で、作業性も良く、その他の石材等を積み重ねて構成される構築物である石碑や、銅像にも同様にして適用することができる。
【符号の説明】
【００３８】
１    筒状の第１の金具
１ａ  該金具の有底部
１ｂ  該金具の突起部
１ｃ  該金具の挿入部
２    棒状の第２の金具
２ａ  該金具の係止部
２ｂ  該金具の小径部
２ｃ  該金具の接着固定部
２ｄ  該金具の切欠部
３    減衰ゴム
３ａ  該減衰ゴムの剛性の高い板
３ｂ  該減衰ゴムの溝
３ｃ  該減衰ゴムの突起部
３ｄ  該減衰ゴムの空洞部
４    墓石の棹石
５    墓石の上台
６    樹脂系接着材
７    墓石の棹石と上台との隙間
【図１】
2014020108.tif 000003
【図２】
2014020108.tif 000004
【図３】
2014020108.tif 000005
【図４】
2014020108.tif 000006
【図５】
2014020108.tif 000007
【図６】
2014020108.tif 000008
【図７】
2014020108.tif 000009
【図８】
2014020108.tif 000010
【図９】
2014020108.tif 000011
【図１０】
2014020108.tif 000012